(57)【要約】【課題】従来のレフレクタ付き放電ランプは、発光管が高熱となるため、その熱の影響でレフレクタにヒビが発生することがある。レフレクタにヒビが入った状態で、発光管が破裂すると破片がレフレクタに当たりレフレクタが破裂し、投映機器内に飛散する恐れがあるので、レフレクタが破裂しても投映機器内に破片が飛散する恐れの少ないレフレクタ付き放電ランプを提供することを課題とする。【解決手段】この発明に係るレフレクタ付き放電ランプは、発光管がレフレクタで囲まれ、レフレクタで反射した光がレフレクタの前面開口部に設けられた前面ガラスから放射するレフレクタ付き放電ランプにおいて、レフレクタの外面を網目部材で覆ったことを特徴とする。【選択図】        図１
2005010376.tif 000002
【特許請求の範囲】
【請求項１】
発光管がレフレクタで囲まれ、前記レフレクタで反射した光が該レフレクタの前面開口部に設けられた前面ガラスから放射するレフレクタ付き放電ランプにおいて、前記レフレクタの外面を網目部材で覆ったことを特徴とするレフレクタ付き放電ランプ。
【請求項２】
前記網目部材の材質を金属としたことを特徴とする請求項１に記載のレフレクタ付き放電ランプ。
【請求項３】
発光管がレフレクタで囲まれ、前記レフレクタで反射した光が該レフレクタの前面開口部に設けられた前面ガラスから放射するレフレクタ付き放電ランプにおいて、前記レフレクタの内部に金属性のメッシュを組み込んだことを特徴とするレフレクタ付き放電ランプ。
【発明の詳細な説明】
【０００１】
【発明の属する技術分野】
この発明は、レフレクタ付き放電ランプに関するものである。
【０００２】
【従来の技術】
図３は従来のレフレクタ付き放電ランプを示す図である。図に示すように、レフレクタ付き放電ランプ１は、内部に石英ガラス製の発光管３を収納し、発光管３をセラミックス製のレフレクタ４で取り囲む。レフレクタ４の前面開口部を硬質ガラス製の前面ガラス５で覆う構成である。
【０００３】
ＯＨＰ（オーバーヘッドプロジェクタ）や液晶プロジェクタ等の投映機器においては、光源ランプとして高圧水銀ランプが使用されることが多い。この高圧水銀ランプは、点灯時には発光管３内の圧力が２００気圧程度の高圧になり、通常使用のランプ寿命末期において、発光管３が劣化してランプが破裂する危険性がある。このため、ランプの破裂対策として、レフレクタ４の前面開口部を前面ガラス５で覆ってレフレクタ４内部を閉空間にし、この閉空間内にランプを配置する（例えば、特許文献１参照）。
【０００４】
【特許文献１】
特開平８−７８４１号公報
【０００５】
【発明が解決しようとする課題】
従来のレフレクタ付き放電ランプは、発光管３が高熱となるため、その熱の影響でレフレクタ４にヒビが発生することがある。レフレクタ４にヒビが入った状態で、発光管３が破裂すると破片がレフレクタ４に当たりレフレクタ４が破裂し、投映機器内に飛散する恐れがある。
【０００６】
近年、投映機器のスクリーン照度を向上させる要望が大きく、ランプの高出力化が進められて、発光管３が大形化しており、発光管３の破裂によるレフレクタ４の破裂が発生しやすい傾向がある。
【０００７】
この発明は上記のような問題点を解決するためになされたもので、レフレクタが破裂しても投映機器内に破片が飛散する恐れの少ないレフレクタ付き放電ランプを提供することを目的とする。
【０００８】
【課題を解決するための手段】
この発明に係るレフレクタ付き放電ランプは、発光管がレフレクタで囲まれ、レフレクタで反射した光がレフレクタの前面開口部に設けられた前面ガラスから放射するレフレクタ付き放電ランプにおいて、レフレクタの外面を網目部材で覆ったことを特徴とする。
【０００９】
また、この発明に係るレフレクタ付き放電ランプは、網目部材の材質を金属としたことを特徴とする。
【００１０】
また、この発明に係るレフレクタ付き放電ランプは、発光管がレフレクタで囲まれ、レフレクタで反射した光がレフレクタの前面開口部に設けられた前面ガラスから放射するレフレクタ付き放電ランプにおいて、レフレクタの内部に金属性のメッシュを組み込んだことを特徴とする。
【００１１】
【発明の実施の形態】
以下、この発明の実施の形態を図面に基づいて説明する。
実施の形態１．
図１は実施の形態１を示す図で、レフレクタ付き放電ランプの外観図と断面図である。
図１に示すように、レフレクタ付き放電ランプ１は、内部に石英ガラス製の発光管３を収納し、発光管３をガラス製のレフレクタ４で取り囲む。レフレクタ４の前面開口部を硬質ガラス製の前面ガラス５で覆い、さらにレフレクタ４の外面を網目部材２で覆う構成である。
【００１２】
発光管３は点灯時に高温になり、その熱の影響でレフレクタ４にヒビが発生することがある。その状態で、発光管３が破裂すると破片によりレフレクタ４が破裂する恐れがある。
【００１３】
そして、近年、投映機器のスクリーン照度を向上させる要望が大きく、ランプの高出力化が進められて発光管３が大型化しており、発光管３の破裂によるレフレクタ４の破裂が発生しやすい傾向がある。
【００１４】
本実施の形態では、レフレクタ４の外面を網目部材２で覆う構成にしたので、万が一レフレクタ４が破裂しても、網目部材２によりレフレクタ４の破片が投映機器内に飛散するのを防ぐことができる。
【００１５】
網目部材２は、６００℃の温度に耐える材質であれば何でもよいが、基本的には、アルミ等の金属が好ましい。
【００１６】
網目部材２は、レフレクタ４の破片が投映機器内に飛散するのを防ぐには、ネットでなく板でもよいが、レフレクタ４の表面を空気で冷却する必要があるので、レフレクタ４の表面が一部露出するネットであることが必要である。
【００１７】
実施の形態２．
図２は実施の形態２を示す図で、レフレクタ付き放電ランプの断面図である。
図２に示すように、内部に石英ガラス製の発光管３を収納し、発光管３をガラス製のレフレクタ４で取り囲む。レフレクタ４の前面開口部を硬質ガラス製の前面ガラス５で覆う。そして、レフレクタ４の内部に金属性のメッシュ６を組み込む。
【００１８】
発光管３が破裂して破片がレフレクタ４に当たっても、レフレクタ４の内部に金属性のメッシュ６が組み込まれているので、レフレクタ４にヒビが入ることはあっても、レフレクタ４の破片が投映機器内に飛散することはない。
【００１９】
上述の実施の形態によれば、レフレクタ付き放電ランプ１のレフレクタ４の内部に金属性のメッシュ６を組み込むことにより、発光管３が破裂して破片がレフレクタ４に当たっても、レフレクタ４の破片が投映機器内に飛散することを抑制できる。
【００２０】
【発明の効果】
この発明に係るレフレクタ付き放電ランプは、レフレクタの外面を網目部材で覆ったことにより、万が一レフレクタが破裂しても、網目部材によりレフレクタの破片が投映機器内に飛散するのを防ぐことができる。
【００２１】
また、この発明に係るレフレクタ付き放電ランプは、レフレクタの内部に金属性のメッシュを組み込んだことにより、発光管が破裂して破片がレフレクタに当たっても、レフレクタの破片が投映機器内に飛散することを抑制できる。
【図面の簡単な説明】
【図１】実施の形態１を示す図で、レフレクタ付き放電ランプの外観図と断面図である。
【図２】実施の形態２を示す図で、レフレクタ付き放電ランプの断面図である。
【図３】従来のレフレクタ付き放電ランプの構成を示す図である。
【符号の説明】
１  レフレクタ付き放電ランプ、２  網目部材、３  発光管、４  レフレクタ、５  前面ガラス、６  金属性のメッシュ。
【図１】
2005010376.tif 000003
【図２】
2005010376.tif 000004
【図３】
2005010376.tif 000005